(57)【要約】【課題】画像の少なくとも一部をリサイズすることによって画像上の被写体を簡単にデフォルメすること。【解決手段】画像の少なくとも一部をリサイズする画像処理装置は、画像を特定方向に複数の分割画像に分割する分割部と、複数の分割画像の少なくとも１つを特定方向に任意の比率でリサイズするリサイズ部と、リサイズされた分割画像を含む複数の分割画像を再合成して合成画像を生成する画像合成部とを備える。【選択図】図２
2008123086.tif 000002
【特許請求の範囲】
【請求項１】
画像の少なくとも一部をリサイズする画像処理装置であって、
画像を特定方向に複数の分割画像に分割する分割部と、
前記複数の分割画像の少なくとも１つを前記特定方向に任意の比率でリサイズするリサイズ部と、
リサイズされた分割画像を含む前記複数の分割画像を再合成して合成画像を生成する画像合成部と、
を備えたことを特徴とする画像処理装置。
【請求項２】
請求項１記載の画像処理装置であって、
前記リサイズ部は、前記特定方向と直交する方向には前記複数の分割画像を同一の比率でリサイズすることを特徴とする画像処理装置。
【請求項３】
請求項１記載の画像処理装置であって、
画像の分割位置を設定する設定部と、
前記分割位置を示す線を前記画像に重ねてモニタに表示するよう処理する表示処理部と、を備え、
前記分割部は、前記分割位置を示す線に従って前記画像を分割することを特徴とする画像処理装置。
【請求項４】
請求項１記載の画像処理装置であって、
画像中の人の顔を検出する顔検出部と、
検出された顔の情報に基づいて、前記画像における前記人の顔又は体の各部位の位置を推定する位置推定部と、
前記推定された各部位の推定位置に従って、前記画像の分割位置を決定する分割位置決定部と、を備え、
前記分割部は、前記決定された分割位置に基づいて、前記画像を前記特定方向に分割することを特徴とする画像処理装置。
【請求項５】
請求項４記載の画像処理装置であって、
前記顔の各部位は、目、鼻及び口の少なくとも１つであることを特徴とする画像処理装置。
【請求項６】
請求項４記載の画像処理装置であって、
前記体の各部位は、首、胸元及び腰の少なくとも１つであることを特徴とする画像処理装置。
【請求項７】
請求項４記載の画像処理装置であって、
前記分割位置決定部によって決定された分割位置を示す線を前記画像に重ねてモニタに表示するよう処理する表示処理部を備えたことを特徴とする画像処理装置。
【請求項８】
請求項７記載の画像処理装置であって、
前記分割位置を示す線の位置を変更する設定部を備えたことを特徴とする画像処理装置。
【請求項９】
請求項１記載の画像処理装置であって、
前記画像、前記複数の分割画像及び前記合成画像のデータを記憶するメモリを備え、
前記画像合成部は、前記メモリのメモリ空間上で、リサイズされた分割画像を含む前記複数の分割画像を再合成することを特徴とする画像処理装置。
【請求項１０】
画像の少なくとも一部をリサイズする画像処理方法であって、
画像を特定方向に複数の分割画像に分割する分割ステップと、
前記複数の分割画像の少なくとも１つを前記特定方向に任煮の比率でリサイズするリサイズステップと、
リサイズされた分割画像を含む前記複数の分割画像を再合成して合成画像を生成する画像合成ステップと、
を有することを特徴とする画像処理方法。
【発明の詳細な説明】
【技術分野】
【０００１】
本発明は、画像の少なくとも一部をリサイズする画像処理装置及び画像処理方法に関する。
【背景技術】
【０００２】
近年、フィルムも現像も不要なデジタルカメラは活況を呈している。携帯電話においても、カメラ搭載型のものが主流を占めている。そして、デジタルカメラの高速化及び高画質化における技術の向上及び普及には目覚しいものがある。
【０００３】
一方、人物撮影を行う場合、人の本質的要求として、被撮影者は、「よりきれいに写りたい。」という願望を持っている。
【０００４】
現在、デジタルカメラでは、人物画像のレタッチ処理を行う場合、人物を撮影した後、撮影後の画像データを一旦、ＰＣに取り込む。そして、フォトレタッチソフトウェアを駆使し、全体のバランスや任意の部位の画像を修正することが一般的に行われる。また、カメラ本体で水平方向及び垂直方向に均一のリサイズ処理を行うことが実現されている（特許文献１参照）。
【０００５】
図１１は、従来のデジタルカメラを示すブロック図である。このデジタルカメラでは、撮像装置５０１で取り込んだ被写体の画像データが画像処理装置５０３内のメモリ５３１に記憶される。データ抽出部５３２は、この画像データから色調整に用いる特定部分のデータを抽出し、ヒストグラムを作成する。テーブル作成部５３３は、このヒストグラムを基に、画像データを適切な色合いに変換するための色変換テーブルを作成する。画像形式変換部５３４は、この色変換テーブルのデータに基づき、メモリ５３１に記憶されている画像データを一般的な写真サイズの画像フォーマットに変換し、記録装置５０４に保存すると共に、出力装置５０５の画面に表示する。
【０００６】
ユーザは、出力装置５０５の画面に表示されている画像を目視し、入力装置５０２を操作してＲＧＢ各色のバランスを調整し、その色合いをより自然な色合いあるいは好みの色合いに補正する。
【０００７】
このように、デジタルカメラに搭載された画像処理装置５０３は、よりきれいな画像を得るために色合いに着目して画像データを変換している。即ち、保存処理前の画像の色合いを調整することで、画像処理を容易に行うことができ、高画質な画像を得ることができる。
【０００８】
【特許文献１】特開平１１−８８９０６号公報
【発明の開示】
【発明が解決しようとする課題】
【０００９】
しかし、上記画像処理装置５０３は、色合いの調整は行うが、人物のスタイルについては元画像を忠実に処理している。また、レタッチ処理を行う場合、高性能なＰＣ及びソフトウェアの利用が前提であり、使用に際してはテクニックが必要であり、手間がかかる。
【００１０】
本発明の目的は、画像の少なくとも一部をリサイズすることによって画像上の被写体を簡単にデフォルメすることができる画像処理装置及び画像処理方法を提供することである。
【課題を解決するための手段】
【００１１】
本発明は、画像の少なくとも一部をリサイズする画像処理装置であって、画像を特定方向に複数の分割画像に分割する分割部と、前記複数の分割画像の少なくとも１つを前記特定方向に任意の比率でリサイズするリサイズ部と、リサイズされた分割画像を含む前記複数の分割画像を再合成して合成画像を生成する画像合成部と、を備えた画像処理装置を提供する。このため、人物のスタイルを変更するような、画像のリサイズ処理を簡単に行うことができる。
【００１２】
上記画像処理装置では、前記リサイズ部は、前記特定方向と直交する方向には前記複数の分割画像を同一の比率でリサイズする。これにより、所望の画像を得るためのリサイズ処理を容易に行うことができる。
【００１３】
上記画像処理装置は、画像の分割位置を設定する設定部と、前記分割位置を示す線を前記画像に重ねてモニタに表示するよう処理する表示処理部と、を備え、前記分割部は、前記分割位置を示す線に従って前記画像を分割する。これにより、ユーザ所望の分割領域を特定することができる。
【００１４】
上記画像処理装置は、画像中の人の顔を検出する顔検出部と、検出された顔の情報に基づいて、前記画像における前記人の顔又は体の各部位の位置を推定する位置推定部と、前記推定された各部位の推定位置に従って、前記画像の分割位置を決定する分割位置決定部とを備え、前記分割部は、前記決定された分割位置に基づいて、前記画像を前記特定方向に分割する。これにより、自動的に特定部位を含むような分割領域が特定され、ユーザの操作を不要にすることができる。
【００１５】
上記画像処理装置では、前記体の各部位は、目、鼻及び口の少なくとも１つである。これにより、顔画像のリサイズ処理を容易に行うことができる。
【００１６】
上記画像処理装置では、前記体の各部位は、首、胸元及び腰の少なくとも１つである。これにより、上半身や全身の画像のリサイズ処理を容易に行うことができる。
【００１７】
上記画像処理装置は、前記分割位置決定部によって決定された分割位置を示す線を前記画像に重ねてもモニタに表示するよう処理する表示処理部を備える。これにより、自動で特定された分割領域を確認することができる。
【００１８】
上記画像処理装置は、前記分割位置を示す線の位置を変更する設定部を備える。これにより、自動で特定された分割領域を変更することができ、ユーザの操作性を向上できる。
【００１９】
上記画像処理装置は、前記画像、前記複数の分割画像及び前記合成画像のデータを記憶するメモリを備え、前記画像合成部は、前記メモリのメモリ空間上で、リサイズされた分割画像を含む前記複数の分割画像を再合成する。これにより、メモリを使用して、リサイズ処理後の合成画像を容易に生成することができる。
【００２０】
本発明は、画像の少なくとも一部をリサイズする画像処理方法であって、画像を特定方向に複数の分割画像に分割する分割ステップと、前記複数の分割画像の少なくとも１つを前記特定方向に任意の比率でリサイズするリサイズステップと、リサイズされた分割画像を含む前記複数の分割画像を再合成して合成画像を生成する画像合成ステップと、を有する画像処理方法を提供する。
【発明の効果】
【００２１】
本発明に係る画像処理装置及び画像処理方法によれば、画像の少なくとも一部をリサイズすることによって画像上の被写体を簡単にデフォルメすることができる。
【発明を実施するための最良の形態】
【００２２】
本発明に係る画像処理装置及び画像処理方法の実施の形態について、図面を参照して説明する。以下説明する画像処理装置は、撮像装置（デジタルスチルカメラ）に搭載された画像リサイズ処理部に適用される。
【００２３】
［第１の実施形態］
図１は、第１の実施形態の撮像装置を示すブロック図である。図１に示すように、第１の実施形態の撮像装置は、レンズ１８、イメージセンサ１１、タイミングジェネレータ（ＴＧ）１２、ＣＤＳ／ＡＧＣ回路１３、アナログデジタル変換器（ＡＤＣ）１４、デジタル信号処理回路（ＤＳＰ）１５、メモリ１６、ＣＰＵ１７、記憶媒体１９、モニタ２０及び設定部２１を備える。なお、ＤＳＰ１５及びＣＰＵ１７は画像リサイズ処理部２５を構成する。
【００２４】
タイミングジェネレータ１２は、ＣＰＵ１７からの命令に従って、イメージセンサ１１に供給する駆動パルスを発生する。ＣＤＳ／ＡＧＣ回路１３は、イメージセンサ１１の出力ノイズを除去し、ゲインをコントロールする。メモリ１６には、画像データ及びその他のデータが保存される。ＡＤＣ１４は、アナログ画像信号をデジタル画像データに変換する。ＣＰＵ１７は、その内部メモリに格納された制御プログラムを実行して撮像装置全体を制御すると共に、演算処理を行う。ＤＳＰ１５は、デジタル画像データを処理する。
【００２５】
図２は、ＤＳＰ１５の内部構成を示すブロック図である。ＤＳＰ１５は、前処理部３１、メモリ制御部３２、画像信号処理部３４、圧縮伸張処理部３５、ズーム処理部３６、顔検出部３７及び表示処理部３８を有する。
【００２６】
前処理部３１は、ＡＤＣ１４でＡ／Ｄ変換されたデジタル画像データに対し、黒レベル補正及びゲイン補正等を行う。画像信号処理部３４は、前処理部３１で処理されたデジタル画像データに対し、輝度信号処理及び色信号処理を行う。圧縮伸張処理部３５は、画像データ（輝度信号データ及び色信号データ）の圧縮、及びその逆動作として伸張を行う。
【００２７】
ズーム処理部３６は、画像データのリサイズ処理としてズーム処理を行う。顔検出部３７は、画像データが示す画像中の人の顔を検出する。表示処理部３８は、モニタ２０に画像を表示するための処理を行う。メモリ制御部３２は、各処理部とメモリ１６との間で行われるデータの読み出し及び書き込みを制御する。ＣＰＵ１７は、メモリ制御部３２、ズーム処理部３６及び顔検出部３７の動作を制御する。後述する画像リサイズ処理機能は、メモリ制御部３２、メモリ１６、ズーム処理部３６、顔検出部３７、表示処理部３８及びＣＰＵ１７によって実現される。
【００２８】
本実施形態の撮像装置の動作について説明する。被写体からの撮像光がレンズ１８を介してイメージセンサ１１に入射すると、撮像光はフォトダイオードによって電気信号に変換される。そして、タイミングジェネレータ１２からの駆動パルスに同期する垂直駆動信号及び水平駆動信号に従って、アナログ画像信号がイメージセンサ１１から出力される。
【００２９】
イメージセンサ１１から出力されたアナログ画像信号は、ＣＤＳ／ＡＧＣ回路１３内のサンプルホールド回路（ＣＤＳ）によって１／ｆノイズが適切に低減された後、自動ゲインコントロール（ＡＧＣ）によって増幅される。ＣＤＳ／ＡＧＣ回路１３からの出力信号はＡＤＣ１４に入力され、デジタル画像データ（ＲＧＢデータ）に変換される。
【００３０】
ＡＤＣ１４から出力されたデジタル画像データは、ＤＳＰ１５に入力される。ＤＳＰ１５は、メモリ１６を用いて、輝度信号処理、色分離処理、カラーマトリクス処理、リサイズ処理、データ圧縮処理等の各種処理を行う。各種処理が行われた画像データは、記憶媒体１９に記録される。ＤＳＰ１５は、記憶媒体１９に記録された画像データを再生する場合、記憶媒体１９から画像データを読み出し、画像データが圧縮されていれば伸張処理を行い、モニタ２０の表示サイズに合わせてリサイズ処理を行った後、モニタ２０に出力する。
【００３１】
画像データのリサイズ処理について、その詳細について説明する。デジタル画像データは、ＤＳＰ１５に取り込まれると、前処理部３１で黒レベル調整及びゲイン調整がなされた後、メモリ制御部３２によってメモリ１６に書き込まれる。画像信号処理部３４は、メモリ１６に書き込まれた画像データを読み出し、輝度信号処理及び色信号処理を行い、輝度データ及び色差データ（又はＲＧＢデータ）に変換する。輝度データ及び色差データ（又はＲＧＢデータ）は、メモリ制御部３２によってメモリ１６に書き込まれる。
【００３２】
リサイズ処理される画像データは、輝度データ及び色差データ（又はＲＧＢデータ）である。ズーム処理部３６は、メモリ１６から読み出された画像データに対し、水平方向及び垂直方向にリサイズ処理を行う。この後、リサイズ処理された画像データは、メモリ制御部３２によってメモリ１６に書き込まれる。
【００３３】
また、画像データは、操作者が画像を確認するために適したサイズで表示処理部３８に出力されるように、ズーム処理部３６で水平方向及び垂直方向の全面に亘ってリサイズ処理される。この表示処理のためのリサイズ処理（ここでは、表示用リサイズ処理と称する）は、本実施形態で行われる後述する分割用リサイズ処理とは異なる処理である。
【００３４】
図３は、分割用リサイズ処理の内容を示す図である。図３には、人の顔画像が示されている。図３（Ａ）はオリジナルの画像を示す。図３（Ｂ）は、図３（Ａ）の画像に対し、水平方向に均一なズーム処理（縮小処理）が行われた画像を示す。図３（Ｃ）は、図３（Ｂ）の画像に対し、垂直方向に不均一なズーム処理（縮小処理）が行われた画像を示す。なお、ズーム処理は、縮小処理に限らず拡大処理も含む。
【００３５】
図４は、第１の実施形態の画像リサイズ処理手順を示すフローチャートである。この画像リサイズ処理を行うためのプログラムは、ＣＰＵ１７の内部メモリに格納されており、ＣＰＵ１７によって実行される。ＣＰＵ１７は、メモリ制御部３２によってメモリ１６に格納されたオリジナルの画像データを読み出して（ステップＳ１）、この画像データを表示処理部３８に出力する。画像データが表示処理部３８で処理された後、画像がモニタ２０表示される（ステップＳ２）。
【００３６】
ＣＰＵ１７は、モニタ２０に表示された画像に対し、設定部２１を介して操作者によって分割位置が指定されるのを待つ（ステップＳ３）。なお、分割位置の変更は、操作者が設定部２１に設けられた上下左右の矢印キー（図示せず）を操作することにより変更可能である。さらに、設定部２１に設けられたＯＫキー（図示せず）を押すことにより、分割位置が確定する。
【００３７】
分割位置が指定されると、ＣＰＵ１７は、指定された分割位置に対応する分割位置を決定（演算）する（ステップＳ４）。また、ステップＳ４では、表示処理部３８により分割位置を示す線（分割線）が画像に重ねて表示される。図３（Ａ）では、分割位置を示す破線５１が水平方向に表示されている。この場合、元画像は第１画像７１と第２画像７２の２つに分割される。
【００３８】
ズーム処理部３６は、分割位置が示された画像に対し分割用リサイズ処理を行う（ステップＳ５）。この分割用リサイズ処理によって、図３（Ａ）の画像から、図３（Ｂ）の画像を経て、図３（Ｃ）のリサイズ処理後の最終的な画像が生成される。分割用リサイズ処理の詳細については、後述する。
【００３９】
ズーム処理部３６は、分割用リサイズ処理後の画像（図３（Ｃ））に対し表示用リサイズ処理を行う（ステップＳ６）。ＣＰＵ１７は、メモリ制御部３２及び表示処理部３８を用い、表示用リサイズ処理が行われた画像データに基づく画像をモニタ２０に表示させる（ステップＳ７）。また、リサイズ処理後の画像データを記憶媒体１９に保存する。この後、画像リサイズ処理を終了する。
【００４０】
図５は、ステップＳ５における分割用リサイズ処理手順を示すフローチャートである。ズーム処理部３６は、ステップＳ４で決定された分割位置に従って、画像データを複数の分割画像データに分ける（ステップＳ１１）。なお、ＣＰＵ１７は、各分割画像データのメモリアドレスを管理する。ズーム処理部３６は、分割画像データ毎に、分割する方向（図３では、垂直方向）では異なる比率で、かつ分割しない方向（図３では、水平方向）では同一の比率で、リサイズ処理を行う（ステップＳ１２）。
【００４１】
なお、リサイズ処理には、補間や平均化、単純拡大縮小といった周知の計算方法が用いられる。特に、高画質なリサイズ処理が可能である補間による計算方法では、「バイキュービック」、「バイリニア」、「ニアレストネイバー」等が採用され、本実施形態では、計算方法は限定されるものではない。
【００４２】
リサイズ処理を行った後、ＣＰＵ１７は、リサイズ処理後の分割画像データを含む全ての分割画像データを再合成し、１つの画像データ（合成画像データ）を生成する（ステップＳ１３）。
【００４３】
以上説明したように、第１の実施形態の撮像装置によれば、オリジナルの画像を特定方向に分割し、この特定方向に任意の比率で分割画像をリサイズした後、再合成することができる。このため、画像上の被写体を簡単にデフォルメすることができる。その結果、人（特に女性）の本質的要求である「やせたい。きれいになりたい。目をぱっちりさせたい。小顔に見せたい。」というような希望に沿った人物画像（顔画像）を提供することができる。
【００４４】
［第２の実施形態］
第１の実施形態では、操作者がモニタに表示された画像を見ながら分割位置を指定するが、第２の実施形態では、分割位置が自動的に決定される。第２の実施形態の撮像装置の構成は第１の実施形態と同様であるため、説明を省略する。但し、第２の実施形態の画像リサイズ処理は第１の実施形態の画像リサイズ処理と異なる。
【００４５】
図６は、第２の実施形態の画像リサイズ処理手順を示すフローチャートである。この画像リサイズ処理を行うためのプログラムは、ＣＰＵ１７の内部メモリに格納されており、ＣＰＵ１７によって実行される。図７は、オリジナル画像及びリサイズ処理後の画像を示す図である。図７（Ａ）はオリジナル画像を示し、図７（Ｂ）はリサイズ処理（分割用リサイズ処理及び表示用リサイズ処理）後の画像を示す。
【００４６】
ＣＰＵ１７は、メモリ制御部３２によってメモリ１６に格納されたオリジナルの画像データを読み出して、この画像データを顔検出部３７に送る（ステップＳ２１）。図７に示す例では、図７（Ａ）に示す人（女性）の顔画像データが読み出される。顔検出部３７は、この画像データが示す画像中の人の顔を検出する（ステップＳ２２）。この顔検出処理では、顔検出部３７によって顔の中心位置及び大きさに関する情報が取得される。なお、顔検出方法としては、種々の方法が提案されており、特に限定されない。例えば、「ガーバーウエーブレット変換＋グラフ・マッチング」や「固有顔法」、「ローカルフィーチャー分析法」、「カーネル判別分析法」等を用いることができる。なお、顔検出処理は、オリジナル画像の代わりに、水平垂直均等のリサイズ処理（表示用リサイズ処理）が行われた画像に対して行われても良い。
【００４７】
ＣＰＵ１７は、取得した顔の中心位置及び大きさ情報を基に、人物画像における特定部位の位置を推定し（ステップＳ２３）、この推定された特定部位の位置を基に、画像上の分割位置を自動的に決定（演算）する（ステップＳ２４）。本実施形態では、特定部位として、「目をぱっちりさせたい」という要求から目元付近（目）が推定されている。なお、顔における特定部位としては、目、鼻、口、耳などが挙げられる。また、図７（Ａ）では、自動的に決定された分割位置は、画面上の顔画像に対し、目元付近の上下を通る水平方向の破線６１，６２で表されている。この場合、分割数Ｎは値３であり、元画像は、第１画像８１、第２画像８２及び第３画像８３からなる３つの分割画像（短冊画像）に分割される。
【００４８】
ＣＰＵ１７は、分割位置が示されたオリジナル画像に対し、第１の実施形態と同様、ズーム処理部３６により分割用リサイズ処理を行う（ステップＳ２５）。本実施形態では、第１画像８１及び第３画像８３は同一の比率で垂直方向（分割する方向）にリサイズ処理（等倍処理）され、第２画像８２は第１、第３画像より大きな比率でリサイズ処理（拡大処理）される。また、第１画像８１〜第３画像８３は水平方向（分割しない方向）に等倍処理されている。なお、リサイズ処理の方法は、第１の実施形態と同様である。
【００４９】
ＣＰＵ１７は、分割用リサイズ処理後の画像に対し、ズーム処理部３６により表示用リサイズ処理を行う（ステップＳ２６）。さらに、ＣＰＵ１７は、メモリ制御部３２及び表示処理部３８を用い、表示用リサイズ処理が行われた画像をモニタ２０に表示させる（ステップＳ２７）。また、リサイズ処理後の画像データを記憶媒体１９に保存する。この後、本処理を終了する。
【００５０】
このように、第２の実施形態の画像リサイズ処理装置によれば、操作者が入力設定を行うことなく、自動処理として画像リサイズ処理を実行することができる。これにより、ユーザ操作を著しく簡単にすることができる。
【００５１】
なお、本発明は、上記実施形態に限られるものではなない。例えば、人物の顔内側の任意部位（例えば、目）に対応する元画像上の分割位置と顔の大きさから、人体の標準的な比率に従って、胸元位置、腰位置などをＣＰＵで推定（演算）し、元画像に対する複数の分割位置を決定してもよい。そして、分割により得られた複数の短冊画像データ毎に、垂直方向（分割する方向）に異なる比率で、水平方向（分割しない方向）に同一の比率でズーム処理を行い、リサイズ処理後にメモリ空間上で複数の短冊画像データを合成し、１つの画像（合成画像）を生成するようにしてもよい。
【００５２】
具体的には、第２の実施形態（図７参照）では、顔画像の情報を基に、特定部位として目元付近（目）が推定されているが、人物画像が上半身である場合、顔画像の情報を基に、さらに首や胸元を特定部位として推定してもよい。図８は顔検出の結果、特定部位として目及び首の位置が推定された場合の元画像及びリサイズ処理後の画像を示す図である。同図（Ａ）は元画像を示し、同図（Ｂ）はリサイズ処理（分割用リサイズ処理及び表示用リサイズ処理）後の画像を示す。この場合、特定部位として、首の位置は、顔検出の結果として得られる顔の大きさ、及び目や口の位置を基に、人体の標準的な比率に従って推定される。
【００５３】
図８（Ａ）では、目元付近及び首を特定部位として、動的に決定された分割位置は、元画像に水平方向の破線９１，９２，９３で多重化されて画面上に表示される。この場合、分割数Ｎは値４であり、元画像は、第１画像９５、第２画像９６、第３画像９７及び第４画像９８からなる４つの分割画像（短冊画像）に分割される。第１画像９５及び第３画像９７は同一の比率で垂直方向（分割する方向）にリサイズ処理（等倍処理）され、第２画像９６は第１、第３画像より大きな比率でリサイズ処理（拡大処理）され、第４画像９８は第１、第３画像より小さな比率でリサイズ処理（縮小処理）される。また、第１画像９５〜第４画像９８は水平方向（分割しない方向）に同一の倍率で縮小処理されている。なお、リサイズ処理そのものは、前記第１の実施形態と同様であるので、その説明を省略する。
【００５４】
図９は顔検出の結果、特定部位として首及び腰の位置が推定された場合の元画像及びリサイズ処理後の画像を示す図である。図９（Ａ）では、検出された顔の位置及び大きさから、首及び腰の位置が推定され、それを基に分割位置が決定されている。この場合、分割数は値３であり、同様にリサイズ処理が行われる。
【００５５】
また、第２の実施形態では、顔の中心位置と大きさ情報から、顔の任意部位の位置を想定しているが、顔の上下左右の傾き情報や基準軸に対する回転情報を加えて、人物の特定部位を推定してもよい。これにより、特定部位の推定精度を高めることができ、さらには意図する分割位置を正確なものにすることができる。
【００５６】
また、上記実施形態では、顔検出処理を用いた場合、自動的にリサイズ処理を開始しているが、検出結果によっては、複数の分割位置を表示処理部により画面上に分割線として多重化表示し、操作者が確認した後、リサイズ処理を行うようにしてもよい。即ち、モニタ２０の画面上にオリジナル画像と多重化して表示された、自動決定の分割位置を示す線に対し、操作者が設定部２１を介してその分割位置を示す線を変更可能にしてもよく、操作性を向上させることができる。この処理は、図７、図８及び図９におけるリサイズ処理を行う際に有用である。
【００５７】
また、第１の実施形態では、メモリ制御部３２によりメモリ１６から画像データを読み出して顔検出部３７に転送してから、顔検出部３７で顔情報を検出しているが、メモリ制御部３２のデータトラフィックを軽減するために、顔検出専用メモリを設けてもよい。図１０は他の実施形態におけるＤＳＰ１５の構成を示すブロック図である。第１の実施形態と同一の構成要素については、同一の符号を付すことによりその説明を省略する。顔検出部３７には、顔検出専用メモリ１３９が設けられている。表示処理部３８への入力データは、顔検出専用メモリ１３９に取り込まれ、顔検出部３７の顔検出処理に使用される。従って、メモリ制御部３２のデータトラフィックを著しく軽減することができる。
【００５８】
また、上記各実施形態では、垂直方向に画像を分割する場合を示したが、水平方向に画像を分割してもよく、本発明は同様に適用可能である。
【産業上の利用可能性】
【００５９】
本発明に係る画像処理装置は、画像上の被写体を簡単にデフォルメすることができ、画像の少なくとも一部をリサイズする画像処理装置等として有用である。
【図面の簡単な説明】
【００６０】
【図１】第１の実施形態の撮像装置を示すブロック図
【図２】ＤＳＰ１５の内部構成を示すブロック図
【図３】分割用リサイズ処理の内容を示す図
【図４】画像リサイズ処理手順を示すフローチャート
【図５】ステップＳ５における分割用リサイズ処理手順を示すフローチャート
【図６】第２の実施形態における画像リサイズ処理手順を示すフローチャート
【図７】元画像及びリサイズ処理後の画像を示す図
【図８】顔検出の結果、特定部位として目及び首の位置が推定された場合の元画像及びリサイズ処理後の画像を示す図
【図９】顔検出の結果、特定部位として首及び腰の位置が推定された場合の元画像及びリサイズ処理後の画像を示す図
【図１０】他の実施形態におけるＤＳＰ１５の構成を示すブロック図
【図１１】従来のデジタルカメラを示すブロック図
【符号の説明】
【００６１】
１５  デジタル信号処理回路（ＤＳＰ）
１６  メモリ
１７  ＣＰＵ
２０  モニタ
２１  設定部
２５  画像リサイズ処理部
３２  メモリ制御部
３６  ズーム処理部
３７  顔検出部
３８  表示処理部
【図１】
2008123086.tif 000003
【図２】
2008123086.tif 000004
【図３】
2008123086.tif 000005
【図４】
2008123086.tif 000006
【図５】
2008123086.tif 000007
【図６】
2008123086.tif 000008
【図７】
2008123086.tif 000009
【図８】
2008123086.tif 000010
【図９】
2008123086.tif 000011
【図１０】
2008123086.tif 000012
【図１１】
2008123086.tif 000013